(57)【要約】【課題】電子番組表を取得するためのアドレスの変更等に対応する。【解決手段】ステップ〔１〕で書き換えデータが有るか否か判断され、無いとき（Ｎｏ）は、そのままステップ〔２〕で他の処理が行われて終了される。これに対して、ステップ〔１〕で書き換えデータが有るとき（Ｙｅｓ）は、ステップ〔３〕でメモリ領域に設けられるアドレスの書き換えが行われる。なおこの書き換えには各種のデータが含まれるが、その一環として、ウェブサーバのアドレスが含まれる。このようにして、ウェブサーバのアドレスの書き換えが行われる。これによってユーザーは、このウェブサーバのアドレスが変更されても意識することなく、表示を行うことができる。【選択図】        図３
2004336689.tif 000002
【特許請求の範囲】
【請求項１】
外部の情報ネットワークを介して電子番組表を取得し、前記取得された電子番組表を用いて所望の番組の放送時刻及び放送チャンネルを抽出し、前記抽出された放送時刻及び放送チャンネルの番組を受信する番組受信装置であって、
前記電子番組表を取得するための前記情報ネットワーク上のアドレスが記憶されて前記情報ネットワークに接続する手段と、
前記情報ネットワーク上の所定のサーバに所定の時間ごとにアクセスして前記サーバに書き込まれた情報に従って内部の制御を行う手段と、
前記所定のサーバにアクセスした際に前記記憶されたアドレスの書き換えを行う手段と
を備えることを特徴とする番組受信装置。
【請求項２】
請求項１記載の番組受信装置において、
前記電子番組表を取得するための前記情報ネットワークへの接続は、専用の操作釦の操作により行う
ことを特徴とする番組受信装置。
【請求項３】
請求項１記載の番組受信装置において、
前記記憶されたアドレスは、前記電子番組表を取得するためのサーバのトップページのアドレスである
ことを特徴とする番組受信装置。
【請求項４】
外部の情報ネットワークを介して電子番組表を取得し、前記取得された電子番組表を用いて所望の番組の放送時刻及び放送チャンネルを抽出し、前記抽出された放送時刻及び放送チャンネルの番組を受信する番組受信方法であって、
前記電子番組表を取得するための前記情報ネットワーク上のアドレスが記憶されて前記情報ネットワークに接続する手段と、
前記情報ネットワーク上の所定のサーバに所定の時間ごとにアクセスして前記サーバに書き込まれた情報に従って内部の制御を行う手段を有し、
前記所定のサーバにアクセスした際に前記記憶されたアドレスの書き換えが行われる
ことを特徴とする番組受信方法。
【請求項５】
請求項４記載の番組受信方法において、
前記電子番組表を取得するための前記情報ネットワークへの接続は、専用の操作釦の操作により行われる
ことを特徴とする番組受信方法。
【請求項６】
請求項４記載の番組受信方法において、
前記記憶されたアドレスは、前記電子番組表を取得するためのサーバのトップページのアドレスである
ことを特徴とする番組受信方法。
【請求項７】
外部の情報ネットワークを介して電子番組表を取得し、前記取得された電子番組表を用いて所望の番組の放送時刻及び放送チャンネルを抽出し、前記抽出された放送時刻及び放送チャンネルの番組を受信して記録する番組記録装置であって、
前記電子番組表を取得するための前記情報ネットワーク上のアドレスが記憶されて前記情報ネットワークに接続する手段と、
前記情報ネットワーク上の所定のサーバに所定の時間ごとにアクセスして前記サーバに書き込まれた情報に従って内部の制御を行う手段と、
前記所定のサーバにアクセスした際に前記記憶されたアドレスの書き換えを行う手段と
を備えることを特徴とする番組記録装置。
【請求項８】
請求項７記載の番組記録装置において、
前記電子番組表を取得するための前記情報ネットワークへの接続は、専用の操作釦の操作により行う
ことを特徴とする番組記録装置。
【請求項９】
請求項７記載の番組記録装置において、
前記記憶されたアドレスは、前記電子番組表を取得するためのサーバのトップページのアドレスである
ことを特徴とする番組記録装置。
【請求項１０】
外部の情報ネットワークを介して電子番組表を取得し、前記取得された電子番組表を用いて所望の番組の放送時刻及び放送チャンネルを抽出し、前記抽出された放送時刻及び放送チャンネルの番組を受信するための情報を処理する情報処理装置であって、
前記電子番組表を取得するための前記情報ネットワーク上のアドレスが記憶されて前記情報ネットワークに接続する手段と、
前記情報ネットワーク上の所定のサーバに所定の時間ごとにアクセスして前記サーバに書き込まれた情報に従って内部の制御を行う手段と、
前記所定のサーバにアクセスした際に前記記憶されたアドレスの書き換えを行う手段と
を備えることを特徴とする情報処理装置。
【請求項１１】
請求項１０記載の情報処理装置において、
前記電子番組表を取得するための前記情報ネットワークへの接続は、専用の操作釦の操作により行う
ことを特徴とする情報処理装置。
【請求項１２】
請求項１０記載の情報処理装置において、
前記記憶されたアドレスは、前記電子番組表を取得するためのサーバのトップページのアドレスである
ことを特徴とする情報処理装置。
【請求項１３】
外部の情報ネットワークを介して電子番組表を取得し、前記取得された電子番組表を用いて所望の番組の放送時刻及び放送チャンネルを抽出し、前記抽出された放送時刻及び放送チャンネルの番組を受信する装置を対象とする情報提供システムであって、
前記電子番組表を取得するための前記情報ネットワーク上のアドレスが記憶されて前記情報ネットワークに接続する手段と、
前記情報ネットワーク上の所定のサーバに所定の時間ごとにアクセスして前記サーバに書き込まれた情報に従って内部の制御を行う手段を有し、
前記所定のサーバにアクセスした際に前記記憶されたアドレスの書き換えが行われる
ことを特徴とする情報提供システム。
【請求項１４】
請求項１３記載の情報提供システムにおいて、
前記電子番組表を取得するための前記情報ネットワークへの接続は、専用の操作釦の操作により行われる
ことを特徴とする情報提供システム。
【請求項１５】
請求項１３記載の情報提供システムにおいて、
前記記憶されたアドレスは、前記電子番組表を取得するためのサーバのトップページのアドレスである
ことを特徴とする情報提供システム。
【発明の詳細な説明】
【０００１】
【発明の属する技術分野】
本発明は、情報ネットワークを介して提供される電子番組表（ＥＰＧ）を利用して所望の放送番組の受信及び／または記録を行う装置に使用して好適な番組受信装置、番組受信方法、番組記録装置、情報処理装置及び情報提供システムに関する。詳しくは、電子番組表の提供されるサーバのアドレスの変更が良好に行われるようにするものである。
【０００２】
【従来の技術】
従来の番組受信装置で、電子番組表を取得し、この電子番組表を用いて所望の番組を受信する装置は知られている（例えば、特許文献１参照。）。
また、ユーザーの視聴履歴情報からユーザーの好みの番組を推定して、番組を受信しているものもある（例えば、特許文献２参照。）。
【０００３】
【特許文献１】
特開２０００−４１０６６号公報
【特許文献２】
特開２００２−１５２６３９号公報
【０００４】
【発明が解決しようとする課題】
例えばハードディスクを内蔵して放送番組の記録を行う装置において、電子番組表を取得し、取得された電子番組表を用いて所望の番組の放送時間帯と放送チャンネルを設定し、所望の番組を受信・記録することが行われている。このような電子番組表として、従来の任意の放送チャンネルの放送信号に重畳されて伝送されるものの他に、例えば情報ネットワーク上の所定のサーバから伝送されるものが利用されるようになってきている。
【０００５】
ところでこのような装置において、電子番組表を取得するための情報ネットワークへの接続は、例えば専用の操作釦を設け、その釦の操作によって記憶されたサーバのアドレスへの接続が自動的に行われるようにされている。すなわちこのような専用の操作釦を設けることによって、ユーザーはいちいちアドレスを入力する必要がなく、１回の操作で情報ネットワークへの接続が行われて、ユーザーの便宜を図ることができるものである。
【０００６】
ところが上述のシステムにおいて、サーバ等のアドレスは変更される可能性がある。すなわち、最初は単なるサービスの一環として開始されたものが、事業の展開によってビジネスに発展したような場合には、サービスのためのサーバから独立して運用されることになり、その際にサーバ等のアドレスは変更される可能性がある。
【０００７】
しかしながら上述のように、例えば専用の操作釦を設け、その釦の操作によって記憶されたサーバのアドレスへの接続が自動的に行われるようにしたシステムでは、そのようなアドレスの変更には対応することが困難なものであった。
【０００８】
この出願はこのような点に鑑みて成されたものであって、解決しようとする問題点は、従来の装置では、例えば専用の操作釦を設け、その釦の操作によって記憶されたサーバのアドレスへの接続が自動的に行われるようにしている場合に、サーバのアドレスの変更に対応することが困難であったというものである。
【０００９】
【課題を解決するための手段】
このため本発明においては、電子番組表を取得するための情報ネットワーク上のアドレスを記憶すると共に、情報ネットワーク上の所定のサーバにアクセスした際に記憶されたアドレスの書き換えを行うようにしたものであって、これによれば、電子番組表を取得するための情報ネットワーク上のアドレスが変更された場合などに対しても、容易に対応することができる。
【００１０】
【発明の実施の形態】
すなわち本発明は、外部の情報ネットワークを介して電子番組表を取得し、取得された電子番組表を用いて所望の番組の放送時刻及び放送チャンネルを抽出し、抽出された放送時刻及び放送チャンネルの番組を受信するようにした番組受信装置、番組受信方法、番組記録装置、情報処理装置及び情報提供システムであって、電子番組表を取得するための情報ネットワーク上のアドレスが記憶されて情報ネットワークに接続する手段と、情報ネットワーク上の所定のサーバに所定の時間ごとにアクセスしてサーバに書き込まれた情報に従って内部の制御を行う手段を有し、所定のサーバにアクセスした際に記憶されたアドレスの書き換えが行われてなるものである。
【００１１】
以下、図面を参照して本発明を説明するに、図１は本発明による番組受信装置、番組受信方法、番組記録装置、情報処理装置及び情報提供システムを適用した番組記録装置及び情報提供システムの一実施形態を示すブロック図である。
【００１２】
図１において、この実施形態に示される番組記録装置１０には、いわゆる地上波放送の受信チューナ（以下、地上波チューナと略称する）１が内蔵され、この地上波チューナ１には、アンテナ端子１１に接続される地上波放送の受信アンテナ（以下、地上波アンテナと略称する）２０からの受信信号が供給される。
【００１３】
また、いわゆる衛星（ＣＳ）放送の受信アンテナ（以下、衛星アンテナと略称する）３０からの受信信号が、外付けの衛星放送の受信チューナ（以下、ＣＳチューナと略称する）３１に供給され、受信復調されたデジタルデータ信号と、さらにデコードされたアナログテレビジョン信号が取り出される。
【００１４】
さらに、外付けのＣＳチューナ３１から取り出されるアナログテレビジョン信号が、番組記録装置１０のアナログ入力端子１２に供給されると共に、ＣＳチューナ３１から取り出されるデジタルデータ信号が、番組記録装置１０のデータ入力端子１３に供給される。
【００１５】
そして、データ入力端子１３に供給されるデジタルデータ信号が、制御ＣＰＵ（Ｃｅｎｔｒａｌ  Ｐｒｏｃｅｓｓｉｎｇ  Ｕｎｉｔ）２に供給され、例えばデジタルデータ信号中に含まれる電子番組表（Ｅｌｅｃｔｒｉｃ  ＰｒｏｇｒａｍＧｕｉｄｅ：以下、ＥＰＧと略称する）のデータが取得されて、電子番組表が形成される。
【００１６】
また、番組記録装置１０に内蔵の地上波チューナ１で受信復調されるアナログテレビジョン信号からも、重畳されたＥＰＧのデータが取り出されて、制御ＣＰＵ２に供給される。この地上波のＥＰＧのデータについても電子番組表が形成される。
【００１７】
さらに制御ＣＰＵ２には、いわゆる情報ネットワークとしてのインターネット１００等に接続するための手段が設けられる。そしてこのインターネット１００を通じて所定のウェブサーバ２００や、任意のポーリングサーバ３００に接続される。
【００１８】
ここでウェブサーバ２００には、例えば他の電子番組表となるＥＰＧのデータが設けられているものである。また、ポーリングサーバ３００には、例えば外部の情報ネットワークを通じて装置の制御を行うための情報が設けられる。これにより、ユーザーは、例えば出先から予約録画の設定等を行うことができる。
【００１９】
また、制御ＣＰＵ２では、ＣＳチューナ３１からのデジタルデータ信号中に含まれるＥＰＧのデータ、地上波のアナログテレビジョン信号に重畳されたＥＰＧのデータ、及びインターネット１００を通じて伝送されるＥＰＧのデータの、それぞれによる電子番組表が形成される。
【００２０】
さらに、例えばこのようにして形成される電子番組表を用いて、記録される所望の番組の放送時間帯と放送チャンネル等が設定される。そしてこの設定に応じて記録手段となるハードディスク装置３が駆動されると共に、内蔵の地上波チューナ１及び外付けのＣＳチューナ３１に対して選局等の制御が行われる。
【００２１】
そしてこの場合に、上述のウェブサーバ２００への接続は、例えばリモートコントロール装置５０に設けられる専用の操作釦（ネット釦）５１を用いて行われる。
【００２２】
すなわちネット釦５１が操作されると、リモートコントロール装置５０から発信された信号がリモートコントロール受信機１５で受信され、その受信信号が制御ＣＰＵ２に供給される。これによって、例えば制御ＣＰＵ２のメモリ領域２１に記憶されたウェブサーバ２００のアドレスに従って接続が行われる。
【００２３】
この接続により、受像機４０で受像される映像信号の画面には、例えば図２に示すようなウェブサーバ２００のトップページの画像が表示される。そしてこの表示された画像を見ながら、リモートコントロール装置５０を用いて、番組記録装置１０の制御が行われる。
【００２４】
そして上述のメモリ領域２１に設けられるウェブサーバ２００のアドレスに対して、インターネット１００を通じて任意のポーリングサーバ３００がアクセスされることにより、必要に応じて書き換えが行われる。すなわちアクセス時にポーリングサーバ３００側に書き換えデータがある場合に、書き換えが行われる。
【００２５】
なお、このようなポーリングサーバ３００へのアクセスは、予め決められた時間間隔で、自動的に行われるものである。そしてアクセスが行われると、例えば図３に示すように、ステップ〔１〕で書き換えデータが有るか否か判断され、無いとき（Ｎｏ）は、そのままステップ〔２〕で他の処理が行われて終了される。
【００２６】
これに対して、ステップ〔１〕で書き換えデータが有るとき（Ｙｅｓ）は、ステップ〔３〕でメモリ領域２１に設けられるアドレスの書き換えが行われる。なおこの書き換えには各種のデータが含まれるが、その一環として、上述のウェブサーバ２００のアドレスが含まれるものである。
【００２７】
このようにして、ウェブサーバ２００のアドレスの書き換えが行われる。これによってユーザーは、ネット釦５１を操作するだけで所望のウェブサーバ２００のトップページが表示されると共に、このウェブサーバ２００のアドレスが変更されても意識することなく、表示を行うことができる。
【００２８】
さらに、このウェブサーバ２００から取得された電子番組表を用いて、所望の番組の放送時間帯と放送チャンネル等が設定され、この設定に応じて記録手段となるハードディスク装置３が駆動されると共に、地上波チューナ１及びＣＳチューナ３１に対して選局等の制御が行われる。
【００２９】
これによって、内蔵の地上波チューナ１及び外付けのＣＳチューナ３１で、受信復調及びデコードされたテレビジョン信号の映像信号及び音声信号等がハードディスク装置３に記録される。なお、ハードディスク装置３での記録再生に当っては、周知のＡ／Ｄ、Ｄ／Ａ変換等が行われるが、図示は省略する。
【００３０】
また、ハードディスク装置３に記録されたテレビジョン信号の映像信号及び音声信号等が、制御ＣＰＵ２の制御に従って再生され、混合器４を通じて出力端子１４に取り出される。そして出力端子１４に取り出された信号は、受像機４０に供給されて、映像信号の表示及び音声信号の放音等が行われる。
【００３１】
さらに制御ＣＰＵ２で形成された電子番組表の画像や、その他の操作ガイドの画像が、混合器４に供給され、ハードディスク装置３から再生される映像信号に重畳される。これにより、これらの電子番組表や操作ガイド等の画像は、受像機４０で受像される映像信号の画面に重畳して表示される。
【００３２】
これらの電子番組表や操作ガイド等の画像を見ながら、あるいは見ずに、リモートコントロール装置５０を用いて、番組記録装置１０の制御が行われる。なお、制御は、リモートコントロール装置５０からの信号がリモートコントロール受信機１５で受信され、その受信信号が制御ＣＰＵ２に供給されて行われる。
【００３３】
そして、このような番組記録装置１０において、ＥＰＧのデータが取得されて電子番組表が形成されると、例えば図４のＡに示すような電子番組表の画像が受像機４０に表示される。すなわち図４のＡでは、画面の右側の上部に日付と時刻が表示されると共に、任意の放送局（チャンネル）のその時刻以降の番組が表示される。
【００３４】
また、画面の左側には任意のコマーシャルメッセージと、現在選択されているチャンネルの受信信号の画像が表示されている。さらに画面の下部には、カーソルで選択されている番組の解説と、例えばリモートコントロール装置５０での操作のガイドが表示される。なお、番組の解説はＥＰＧのデータの一部である。
【００３５】
すなわち、例えばリモートコントロール装置５０に設けられる上下左右のカーソルキー（図示せず）を操作することにより、この画面上で左右の矢印の示されている放送局（チャンネル）と、上下の矢印の示されている番組の選択を行うことができる。そして決定キーの操作で所望の番組の選択が決定される。
【００３６】
さらに所望の番組の選択が決定されると、画面は図４のＢに示すように変化される。この図４のＢでは、選択された所望の番組の欄から、いわゆる吹き出しによって「予約録画」「取り消し」「選局」「閉じる」の制御項目が表示される。そして上下のカーソルキー及び決定キーの操作で制御項目が決定される。
【００３７】
ここで、「予約録画」が決定されると、例えば図５に示すような予約に関わる設定を行うための画像が受像機４０に表示される。すなわち図５では、選択された番組のタイトルと、その放送の日時（放送時間帯）、放送チャンネルが表示され、さらに使用者（ユーザー）の設定項目が表示される。
【００３８】
この使用者（ユーザー）の設定項目としては、「ＨＱ」「ＳＰ」「ＥＰ」等の記録（画質）モードの選択と、保存期間の設定が行われる。さらにこれらの設定が行われた後に、決定キーが操作されることで録画の予約が行われる。
【００３９】
従ってこの実施形態において、電子番組表を取得するための情報ネットワーク上のアドレスを記憶すると共に、情報ネットワーク上の所定のサーバにアクセスした際に記憶されたアドレスの書き換えを行うようにしたことによって、電子番組表を取得するための情報ネットワーク上のアドレスが変更された場合などに対しても、容易に対応することができる。
【００４０】
これによって、従来の装置では、例えば専用の操作釦を設け、その釦の操作によって記憶されたサーバのアドレスへの接続が自動的に行われるようにしている場合に、サーバのアドレスの変更に対応することが困難であったものを、本発明によればこれらの問題点を容易に解消することができるものである。
【００４１】
こうして、本発明の番組受信装置によれば、電子番組表を取得するための情報ネットワーク上のアドレスが記憶されて情報ネットワークに接続する手段と、情報ネットワーク上の所定のサーバに所定の時間ごとにアクセスしてサーバに書き込まれた情報に従って内部の制御を行う手段と、所定のサーバにアクセスした際に記憶されたアドレスの書き換えを行う手段とを備えることにより、電子番組表を取得するための情報ネットワーク上のアドレスが変更された場合などに対しても、容易に対応することができるものである。
【００４２】
また、本発明の番組受信方法によれば、電子番組表を取得するための情報ネットワーク上のアドレスが記憶されて情報ネットワークに接続する手段と、情報ネットワーク上の所定のサーバに所定の時間ごとにアクセスしてサーバに書き込まれた情報に従って内部の制御を行う手段を有し、所定のサーバにアクセスした際に記憶されたアドレスの書き換えが行われることにより、電子番組表を取得するための情報ネットワーク上のアドレスが変更された場合などに対しても、容易に対応することができるものである。
【００４３】
さらに本発明の番組記録装置によれば、電子番組表を取得するための情報ネットワーク上のアドレスが記憶されて情報ネットワークに接続する手段と、情報ネットワーク上の所定のサーバに所定の時間ごとにアクセスしてサーバに書き込まれた情報に従って内部の制御を行う手段と、所定のサーバにアクセスした際に記憶されたアドレスの書き換えを行う手段とを備えることにより、電子番組表を取得するための情報ネットワーク上のアドレスが変更された場合などに対しても、容易に対応することができるものである。
【００４４】
また、本発明の情報処理装置によれば、電子番組表を取得するための情報ネットワーク上のアドレスが記憶されて情報ネットワークに接続する手段と、情報ネットワーク上の所定のサーバに所定の時間ごとにアクセスしてサーバに書き込まれた情報に従って内部の制御を行う手段と、所定のサーバにアクセスした際に記憶されたアドレスの書き換えを行う手段とを備えることにより、電子番組表を取得するための情報ネットワーク上のアドレスが変更された場合などに対しても、容易に対応することができるものである。
【００４５】
また、本発明の情報提供システムによれば、電子番組表を取得するための情報ネットワーク上のアドレスが記憶されて情報ネットワークに接続する手段と、情報ネットワーク上の所定のサーバに所定の時間ごとにアクセスしてサーバに書き込まれた情報に従って内部の制御を行う手段を有し、所定のサーバにアクセスした際に記憶されたアドレスの書き換えが行われることにより、電子番組表を取得するための情報ネットワーク上のアドレスが変更された場合などに対しても、容易に対応することができるものである。
【００４６】
なお本発明は、上述の説明した実施の形態に限定されるものではなく、本発明の精神を逸脱することなく種々の変形が可能とされるものである。
【００４７】
【発明の効果】
従って請求項１の発明によれば電子番組表を取得するための情報ネットワーク上のアドレスを記憶すると共に、情報ネットワーク上の所定のサーバにアクセスした際に記憶されたアドレスの書き換えを行うようにしたことによって、電子番組表を取得するための情報ネットワーク上のアドレスが変更された場合などに対しても、容易に対応することができるものである。
【００４８】
また、請求項２の発明によれば、電子番組表を取得するための情報ネットワークへの接続は、専用の操作釦の操作により行うことによって、ユーザーの利便性を高めることができるものである。
【００４９】
また、請求項３の発明によれば、記憶されたアドレスは、電子番組表を取得するためのサーバのトップページのアドレスであることによって、常に所望のサーバの表示を行うことができるものである。
【００５０】
さらに請求項４の発明によれば、電子番組表を取得するための情報ネットワーク上のアドレスを記憶すると共に、情報ネットワーク上の所定のサーバにアクセスした際に記憶されたアドレスの書き換えを行うようにしたことによって、電子番組表を取得するための情報ネットワーク上のアドレスが変更された場合などに対しても、容易に対応することができるものである。
【００５１】
また、請求項５の発明によれば、電子番組表を取得するための情報ネットワークへの接続は、専用の操作釦の操作により行われることによって、ユーザーの利便性を高めることができるものである。
【００５２】
また、請求項６の発明によれば、記憶されたアドレスは、電子番組表を取得するためのサーバのトップページのアドレスであることによって、常に所望のサーバの表示を行うことができるものである。
【００５３】
さらに請求項７の発明によれば、電子番組表を取得するための情報ネットワーク上のアドレスを記憶すると共に、情報ネットワーク上の所定のサーバにアクセスした際に記憶されたアドレスの書き換えを行うようにしたことによって、電子番組表を取得するための情報ネットワーク上のアドレスが変更された場合などに対しても、容易に対応することができるものである。
【００５４】
また、請求項８の発明によれば、電子番組表を取得するための情報ネットワークへの接続は、専用の操作釦の操作により行うことによって、ユーザーの利便性を高めることができるものである。
【００５５】
また、請求項９の発明によれば、記憶されたアドレスは、電子番組表を取得するためのサーバのトップページのアドレスであることによって、常に所望のサーバの表示を行うことができるものである。
【００５６】
さらに請求項１０の発明によれば、電子番組表を取得するための情報ネットワーク上のアドレスを記憶すると共に、情報ネットワーク上の所定のサーバにアクセスした際に記憶されたアドレスの書き換えを行うようにしたことによって、電子番組表を取得するための情報ネットワーク上のアドレスが変更された場合などに対しても、容易に対応することができるものである。
【００５７】
また、請求項１１の発明によれば、電子番組表を取得するための情報ネットワークへの接続は、専用の操作釦の操作により行うことによって、ユーザーの利便性を高めることができるものである。
【００５８】
また、請求項１２の発明によれば、記憶されたアドレスは、電子番組表を取得するためのサーバのトップページのアドレスであることによって、常に所望のサーバの表示を行うことができるものである。
【００５９】
さらに請求項１３の発明によれば、電子番組表を取得するための情報ネットワーク上のアドレスを記憶すると共に、情報ネットワーク上の所定のサーバにアクセスした際に記憶されたアドレスの書き換えを行うようにしたことによって、電子番組表を取得するための情報ネットワーク上のアドレスが変更された場合などに対しても、容易に対応することができるものである。
【００６０】
また、請求項１４の発明によれば、電子番組表を取得するための情報ネットワークへの接続は、専用の操作釦の操作により行われることによって、ユーザーの利便性を高めることができるものである。
【００６１】
また、請求項１５の発明によれば、記憶されたアドレスは、電子番組表を取得するためのサーバのトップページのアドレスであることによって、常に所望のサーバの表示を行うことができるものである。
【００６２】
これによって、従来の装置では、例えば専用の操作釦を設け、その釦の操作によって記憶されたサーバのアドレスへの接続が自動的に行われるようにしている場合に、サーバのアドレスの変更に対応することが困難であったものを、本発明によればこれらの問題点を容易に解消することができるものである。
【図面の簡単な説明】
【図１】本発明による番組受信装置、番組受信方法、番組記録装置、情報処理装置及び情報提供システムの適用される番組記録装置の一実施形態の構成を示すブロック図である。
【図２】ウェブサーバのトップページの画像を示す線図である。
【図３】その処理動作の説明のためのフローチャート図である。
【図４】その説明のための電子番組表の画像を示す線図である。
【図５】その説明のための予約に関わる設定を行うための画像を示す線図である。
【符号の説明】
１…地上波放送の受信チューナ、２…制御ＣＰＵ、３…ハードディスク装置、４…混合器、１０…番組記録装置、１１…アンテナ端子、１２…アナログ入力端子、１３…データ入力端子、１４…出力端子、１５…リモートコントロール受信機、２０…地上波放送の受信アンテナ、２１…テーブルの設けられるメモリ領域、３０…衛星放送の受信アンテナ、３１…衛星放送の受信チューナ、４０…受像機、５０…リモートコントロール装置、５１…操作釦、１００…インターネット、２００…ウェブサーバ、３００…ポーリングサーバ
【図１】
2004336689.tif 000003
【図２】
2004336689.tif 000004
【図３】
2004336689.tif 000005
【図４】
2004336689.tif 000006
【図５】
2004336689.tif 000007